(57)【要約】【課題】簡単な装置構成により薬剤を良好に揮散させることができる揮散装置を提供する。【解決手段】本発明の揮散装置１０は、揮発性を有する薬剤Ｙを収容した収容部４と、薬剤Ｙを排出する排出孔７と、収容部４と排出孔７を非連通状態に区画するとともに、収容部４内の圧力が所定のしきい値を超えたときに収容部４を排出孔７に連通させる易連通部８と、排出孔７に対向し、該排出孔７から排出された薬剤Ｙを吸収して揮散させる吸収材１２と、を有する。【選択図】図３
2018110684.tif 000002
【特許請求の範囲】
【請求項１】
揮発性を有する薬剤を収容した収容部と、
前記薬剤を排出する排出口と、
前記収容部と前記排出口を非連通状態に区画するとともに、前記収容部内の圧力が所定のしきい値を超えたときに前記収容部を前記排出口に連通させる易連通部と、
前記排出口に対向し、該排出口から排出された前記薬剤を吸収して揮散させる吸収材と、
を有することを特徴とする揮散装置。
【請求項２】
前記易連通部を介して薬剤受部をさらに有し、
前記排出口は、前記薬剤受部に連通している、
ことを特徴とする請求項１に記載の揮散装置。
【請求項３】
少なくとも１つの揮散孔、および前記収容部の少なくとも一部を外部に露出する押込み孔を有するとともに、前記収容部、前記排出口、および前記易連通部を有する本体と、前記吸収材と、を収容したケースをさらに有する、
ことを特徴とする請求項１または請求項２に記載の揮散装置。
【請求項４】
揮発性を有する薬剤を収容した収容部と、
前記薬剤を受ける薬剤受部と、
前記収容部と前記薬剤受部を非連通状態に区画するとともに、前記収容部内の圧力が所定のしきい値を超えたときに前記収容部を前記薬剤受部に連通させる易連通部と、
前記薬剤を排出する複数の排出口と、
前記薬剤受部を前記複数の排出口にそれぞれ連通した所定の長さを有する複数の流路と、
を有することを特徴とする揮散装置。
【請求項５】
前記複数の排出口に対向し、該排出口から排出された前記薬剤を吸収して揮散させる吸収材をさらに有する、
ことを特徴とする請求項４に記載の揮散装置。
【請求項６】
前記複数の流路は、前記収容部から前記薬剤受部につながる連通路と交差する方向に延設されている、
ことを特徴とする請求項４または請求項５に記載の揮散装置。
【請求項７】
少なくとも１つの揮散孔、および前記収容部の少なくとも一部を外部に露出する押込み孔を有するとともに、前記収容部、前記薬剤受部、前記易連通部、前記複数の排出口、および前記複数の流路を有する本体と、前記吸収材と、を収容したケースをさらに有する、
ことを特徴とする請求項５または請求項５に従属した請求項６に記載の揮散装置。
【請求項８】
揮発性を有する薬剤を収容した収容部と、
前記薬剤を受ける薬剤受部と、
前記薬剤受部内に配置した吸収材と、
前記薬剤受部に設けた前記薬剤を揮散させるための揮散孔と、
前記収容部と前記薬剤受部を非連通状態に区画するとともに、前記収容部内の圧力が所定のしきい値を超えたときに前記収容部を前記薬剤受部に連通させる易連通部と、
を有することを特徴とする揮散装置。
【発明の詳細な説明】
【技術分野】
【０００１】
本発明は、例えば、芳香剤などの薬剤を揮散させる揮散装置に関する。
【背景技術】
【０００２】
従来、２枚のフィルムの間に互いに分離した２つの空間を設けて、一方の空間に薬液を収容し、もう一方の空間に塗布棒を収容した包装体が知られている。この包装体は、使用時において、薬液を収容した一方の空間を外部から押圧し、塗布棒を収容した他方の空間と連通して、薬液を塗布棒に浸透させる。このため、２つの空間の間のシール部分は、容易に剥離可能なシール構造を有する。
【先行技術文献】
【特許文献】
【０００３】
【特許文献１】特開２００６−６２６８２号公報
【発明の概要】
【発明が解決しようとする課題】
【０００４】
例えば、上述した包装体の原理を利用して、簡易的な芳香剤の揮散装置を製造しようとした場合、包装体のどこかに薬液を揮散させるための揮散孔を設ける必要がある。しかし、例えば、薬液を収容した一方の空間に連通する揮散孔を設けてしまうと、当該空間を外部から押したときに、薬液が揮散孔から単に漏れてしまい、薬液の揮散状態を所望する状態にコントロールすることができない。また、この場合、空間を押した指に薬液が付着してしまう。
【０００５】
本発明は、上記の点に鑑みてなされたもので、簡単な装置構成により薬剤を良好に揮散させることができる揮散装置を提供することを目的とする。
【課題を解決するための手段】
【０００６】
本発明の揮散装置の一態様は、揮発性を有する薬剤を収容した収容部と、薬剤を排出する排出口と、収容部と排出口を非連通状態に区画するとともに、収容部内の圧力が所定のしきい値を超えたときに収容部を排出口に連通させる易連通部と、排出口に対向し、排出口から排出された薬剤を吸収して揮散させる吸収材と、を有する。
【０００７】
本発明の揮散装置の一態様は、揮発性を有する薬剤を収容した収容部と、薬剤を受ける薬剤受部と、収容部と薬剤受部を非連通状態に区画するとともに、収容部内の圧力が所定のしきい値を超えたときに収容部を薬剤受部に連通させる易連通部と、薬剤を排出する複数の排出口と、薬剤受部を複数の排出口にそれぞれ連通した所定の長さを有する複数の流路と、を有する。
【０００８】
本発明の揮散装置の一態様は、揮発性を有する薬剤を収容した収容部と、薬剤を受ける薬剤受部と、薬剤受部内に配置した吸収材と、薬剤受部に設けた薬剤を揮散させるための揮散孔と、収容部と薬剤受部を非連通状態に区画するとともに、収容部内の圧力が所定のしきい値を超えたときに収容部を薬剤受部に連通させる易連通部と、を有する。
【発明の効果】
【０００９】
本発明の揮散装置の一態様によれば、簡単な装置構成により薬剤を良好に揮散させることができる。
【図面の簡単な説明】
【００１０】
【図１】図１は、第１の実施形態に係る揮散装置を示す外観斜視図である。
【図２】図２は、図１の揮散装置に組み込まれた本体を示す外観斜視図である。
【図３】図３は、図１の揮散装置をＦ３−Ｆ３に沿って見た断面図である。
【図４】図４は、第２の実施形態に係る揮散装置の本体を上面側から見た外観図である。
【図５】図５は、図４の本体を収容するケースを上面側から見た外観図である。
【図６】図６は、図５のケースを裏面側から見た外観図である。
【図７】図７は、図５のケースの変形例を示す外観図である。
【図８】図８は、図６のケースの変形例を示す外観図である。
【図９】図９は、第３の実施形態に係る揮散装置を示す外観斜視図である。
【図１０】図１０は、図９の揮散装置を上面側から見た外観図である。
【図１１】図１１は、図１０の揮散装置をＦ１１−Ｆ１１に沿って見た断面図である。
【図１２】図１２は、図１０の揮散装置の変形例を示す外観図である。
【図１３】図１３は、図１２の揮散装置をＦ１３−Ｆ１３に沿って見た断面図である。
【発明を実施するための形態】
【００１１】
以下、本発明の実施形態について図面を参照して説明する。  
（第１の実施形態）
図１に示すように、第１の実施形態に係る揮散装置１０は、略矩形ブロック状の偏平なケース２を有する。ケース２の外形はいかなるものであってもよい。ケース２は、例えば樹脂などにより形成されている。ケース２の長手方向の寸法は、例えば、２〜６ｃｍ程度であり、厚みは、例えば、５ｍｍ〜２０ｍｍ程度である。ケース２は、樹脂に限らず例えば金属や紙など他の材料を用いて形成してもよい。
【００１２】
ケース２内には、図２に示す本体１が収容配置されている。本体１の外周形状は、ケース２の内周形状に合わせて略決められている。本体１は、図３に示すように、例えば２枚の樹脂製のフィルム１ａ、１ｂを部分的に貼り合せたものであり、２枚のフィルム１ａ、１ｂの間に、互いに分離した大小２つの空間４、６を有する。言い換えると、各空間４、６は、それぞれ、２枚のフィルム１ａ、１ｂの間のシール部分１ｃによって周りを囲まれて封止されている。本体１は、樹脂に限らず他の材料を用いて形成してもよい。
【００１３】
２枚のフィルム１ａ、１ｂは、例えば、共押出し加工の柔らかい成形シートであり、５０〜６００μｍ程度の厚みを有する。本実施形態では、加熱成形ができ、後述する押圧部１１を完全に押し潰すことができ、押し潰した際に指が痛くなく、製膜時にバリア層を積層できるように、フィルム１ａ、１ｂの厚みを１８０〜２００μｍに設計した。なお、ここで言う「フィルム」とは、ＪＩＳ規格によるところの「厚さが０．２ミリメートル以上の軟質性のシート」を含むものであり、以下の説明では、これらフィルムおよびシートを総称してフィルム１ａ、１ｂとする。
【００１４】
本体１内の大きい方の空間４は、例えば、芳香剤などの揮発性を有する薬剤Ｙを収容する収容部として機能する。薬剤Ｙは、芳香剤に限らず、例えば消臭剤や殺虫剤などであってもよい。本体１内の小さい方の空間６は、大きい方の空間４から流れ込む薬剤Ｙを受ける薬剤受部として機能する。以下の説明では、大きい方の空間４を収容部４と称し、小さい方の空間６を薬剤受部６と称する場合もある。２枚のフィルム１ａ、１ｂは、収容部４内に薬剤Ｙを収容した状態で貼り合わされる。
【００１５】
上述したように、収容部４と薬剤受部６の間は、シール部分１ｃによって区画されている。よって、通常（収容部４を外から加圧していない状態）は、収容部４内の薬剤Ｙが薬剤受部６に流れ込むことはない。収容部４と薬剤受部６の間のシール部分１ｃは、加圧により２枚のフィルム１ａ、１ｂが容易に剥離するシール構造を有し、本発明の易連通部８として機能する。シール部分１ｃの幅は、少ない力で２枚のフィルム１ａ、１ｂを剥離しやすくするため狭くすることが好ましく、本実施形態では１〜３ｍｍに設計した。
【００１６】
この易連通部８は、例えば、２枚のフィルム１ａ、１ｂを容易に剥離可能なイージーピールにて貼り合せた部分であり、２枚のフィルム１ａ、１ｂを熱溶着する際の温度や時間を調整することで、剥離の容易度を適切な度合いに調整したものである。易連通部８は、これ以外に、空間４内の圧力が所定のしきい値を超えたときに容易に剥離可能な構造であればいかなるものであってもよい。
【００１７】
収容部４と易連通部８の間には、収容部４内の薬剤Ｙを薬剤受部６（易連通部８）に向かわせるための比較的薄い指向空間９が設けられている。指向空間９は、２枚のフィルム１ａ、１ｂがわずかに離間した部位であり、薬剤受部６に沿って湾曲して凹んだ縁部９ａを有する。指向空間９内には、収容部４内の薬剤Ｙが流入していてもよい。
【００１８】
以下の説明では、本体１内の大きい方の空間４を包囲するフィルム１ａの膨出部分を押圧部１１と称する。押圧部１１を外から押圧することで、収容部４内の圧力が上昇する。２つの空間４、６は、２枚のフィルム１ａ、１ｂを貼り合せない部位で上面側のフィルム１ａを膨出させることで形成されている。下面側のフィルム１ｂは、平らであり、小さい方の空間６に連通する排出孔７（排出口）を有する。押圧部１１は、略半球状である。
【００１９】
ケース２は、その上面２ａに比較的大きな円形の孔３を有する。この孔３は、本体１の押圧部１１を少なくとも部分的に外部に露出するための押込み孔として機能する。本実施形態では、押圧部１１の略全部を孔３を介して外部に露出させている。
【００２０】
また、ケース２は、その裏面２ｂ側に、内部に連通した少なくとも１つの揮散孔５を有する。本実施形態では、ケース２の裏面２ｂ側に複数の揮散孔５を設けた。揮散孔５の形状や個数は任意に設計可能であり、ケース２の裏面２ｂ側に限らず、上面２ａ側や側面側に設けてもよい。
【００２１】
また、ケース２内には、本体１のフィルム１ｂ側に重ねて、例えば不織布により形成した吸収材１２が収容配置されている。吸収材１２の材質は、不織布に限らず、薬剤Ｙを吸収して揮散可能な材料であればいかなるものであってもよい。本実施形態では、複数の揮散孔５を備えたケース２の裏面２ｂに対向して吸収材１２を配置したため、複数の揮散孔５は吸収材１２によって覆われている。
【００２２】
上述した揮散装置１０は、例えば、図示しないネックストラップなどを用いて首にかけて使用される。揮散装置１０を使用する場合、ユーザーは、ケース２の孔３から突出した押圧部１１を指で押圧する。これにより、収容部４内の圧力が上昇し、指向空間９内の加圧された薬剤Ｙが、指向空間９の縁部９ａを押して、易連通部８の２枚のフィルム１ａ、１ｂを押し広げる。このとき、指向空間９の縁部９ａが薬剤受部６の外周に沿って湾曲しているため、易連通部８の２枚のフィルム１ａ、１ｂが薬剤受部６に向けて徐々に剥離される。
【００２３】
そして、指向空間９の縁部９ａが薬剤受部６に徐々に近づいて両者がつながると、指向空間９を介して収容部４内の薬剤Ｙが薬剤受部６内に流れ込む。薬剤受部６に流入した薬剤Ｙは、薬剤受部６に一旦溜まった後、薬剤受部６に連通したフィルム１ｂの排出孔７を介して本体１から流出し、排出孔７に対向した吸収材１２によって吸収される。吸収材１２によって吸収された薬剤Ｙは、ケース２の複数の揮散孔５を介して揮散装置１０の外部へ揮散される。
【００２４】
以上のように、本実施形態によると、収容部４に連通した指向空間９の縁部９ａが薬剤受部６の外周縁に沿って湾曲しているため、押圧部１１を所定のしきい値を超える押圧力で押圧したとき、収容部４を薬剤受部６（排出孔７）に確実に連通させることができる。このため、例えば、薬剤Ｙが本体１の外周部から漏れる心配がなく、薬剤Ｙの揮散状態を良好に制御することができる。
【００２５】
また、本実施形態によると、押圧部１１を押したとき、収容部４を排出孔７に直接つなげるのではなく、薬剤受部６に一旦溜めるようにしているため、排出孔７を介して薬剤Ｙが勢いよく吐出することがない。このため、排出孔７を介して排出した薬剤Ｙを確実に吸収材１２に浸透させることができ、薬剤Ｙの飛び散りを防止することができる。
【００２６】
また、本実施形態によると、押圧部１１を一度押圧するだけで、収容部４内の薬剤Ｙを略全量使用することができ、薬剤Ｙを無駄なく使用することができる。なお、本実施形態では、押圧部１１の略全体がケース２の孔３から外に突出しているため、個人差を生じることなく、押圧部１１を最後まで確実に押し込むことができる。
【００２７】
また、本実施形態では、本体１の排出孔７に対向（接触）して吸収材１２を配置したため、排出孔７に到達した薬剤Ｙを吸収材１２の毛管作用により吸い出すことができ、薬剤Ｙを無駄なく吸収材１２に吸収させることができる。
【００２８】
さらに、本実施形態によると、押圧部１１を指で押圧するだけで、揮散装置１０の使用を開始することができ、薬剤Ｙが漏れて指に付着する不具合を生じることがなく、利便性を向上させることができる。
（第２の実施形態）
以下、図４乃至図８を参照して、第２の実施形態に係る揮散装置２０について説明する。なお、以下の説明では、上述した第１の実施形態の揮散装置１０と同様に機能する構成要素には同一符号を付してその詳細な説明を省略する。
【００２９】
図４に示すように、揮散装置２０の本体２１は、左右に長い略長円形の外周縁を有する収容部４、および略三角形の外周縁を有する薬剤受部６を有する。薬剤受部６は、その１つの角部が収容部４に対向する向きで、収容部４から離間して設けられている。収容部４の周りには、収容部４の全周を囲むように比較的薄い指向空間９が設けられている。指向空間９の薬剤受部６に対向する縁部９ａは、薬剤受部６に沿って湾曲して凹んでいる。
【００３０】
また、薬剤受部６の周りには、比較的薄い流通空間２４が設けられている。流通空間２４は、薬剤受部６の全周を囲んで設けられ、左右に離間して設けた排出孔７ａ、７ｂに薬剤受部６を連通する薬剤Ｙの流路として機能する。流通空間２４と指向空間９の間にはシール部分１ｃが設けられており、指向空間９の縁部９ａと流通空間２４との間のシール部分１ｃが、易連通部８として機能する。
【００３１】
収容部４、および薬剤受部６は、２枚のフィルム１ａ、１ｂを貼り合せていない部位で上面側のフィルム１ａを膨出させて形成されている。指向空間９、および流通空間２４は、２枚のフィルム１ａ、１ｂを貼り合せないことで形成されている。これらの空間４、６、９、２４以外の部位では、２枚のフィルム１ａ、１ｂが貼り合わされている。この貼り合わされた部分がシール部分１ｃとなる。
【００３２】
排出孔７ａ、７ｂは、本体２１の裏面側のフィルム１ｂを貫通して設けられている。本実施形態では、排出孔７ａ、７ｂを薬剤受部６に対向して設けるのではなく、薬剤受部６から遠くに離間させて設けている。このため、薬剤受部６と左右それぞれの排出孔７ａ、７ｂをつなぐ薬剤Ｙの流路は、所定長さを有して比較的長く形成されている。
【００３３】
薬剤受部６からつながる左右２つの流路は、易連通部８を通る薬剤Ｙの連通路（収容部４内の薬剤Ｙが薬剤受部６に向けて流れ込む流路）と交差する方向に延びている。また、左右２つの流路は、薬剤受部６からそれぞれの排出孔７ａ、７ｂに向けて真っ直ぐ延びておらず、少なくとも１箇所で屈曲している。
【００３４】
図５および図６に示すように、揮散装置２０のケース２２は、その上面２２ａ側に本体２１の押圧部１１を露出させるための孔３を有する。孔３の形状は、押圧部１１の形状に合わせて長円形に形成されている。孔３は、押圧部１１の略全部を外部に露出させる。また、ケース２２の裏面２２ｂ側には、複数の揮散孔５が設けられている。
【００３５】
ケース２２内には、ここでは図示省略した吸収材１２が収容配置されている。吸収材１２は、本体２１の裏面側のフィルム１ｂと裏面２２ｂ側のケースとの間に配置されている。このため、吸収材１２は、本体２１の２つの排出孔７ａ、７ｂに対向し、且つ複数の揮散孔５を覆うように設けられている。
【００３６】
図７および図８は、第２の実施形態の変形例に係るケース２６を示す。変形例のケース２６も、ケース２２の上面２６ａ側に孔３を有し、裏面２６ｂ側に複数の揮散孔５を有する。ケース２６の表面の模様やデザインは、図５乃至図８に例示したものに限らず、種々変更および選択が可能である。また、揮散孔５の個数やサイズ、形成位置や形状なども任意に変更可能である。
【００３７】
本実施形態の揮散装置２０を使用する場合、ユーザーは、ケース２２の孔３から突出した押圧部１１を指で押圧する。これにより、収容部４内の圧力が上昇し、指向空間９内の加圧された薬剤Ｙが、指向空間９の縁部９ａを押して、易連通部８の２枚のフィルム１ａ、１ｂを押し広げる。このとき、指向空間９の縁部９ａが薬剤受部６の外周に沿って湾曲しているため、易連通部８の２枚のフィルム１ａ、１ｂが薬剤受部６に向けて徐々に剥離される。
【００３８】
そして、指向空間９の縁部９ａが薬剤受部６に徐々に近づいて流通空間２４につながると、指向空間９を介して収容部４内の薬剤Ｙが薬剤受部６内に流れ込む。薬剤受部６に流入した薬剤Ｙは、薬剤受部６を概ね満たした後、左右２つの流路に分岐される。各流路を通って流れた薬剤Ｙは、フィルム１ｂの排出孔７ａ、７ｂを介して本体１から流出し、排出孔７ａ、７ｂに対向した吸収材１２によって吸収される。吸収材１２によって吸収された薬剤Ｙは、ケース２の複数の揮散孔５を介して揮散装置１０の外部へ揮散される。
【００３９】
以上のように、本実施形態によると、上述した第１の実施形態と同様の効果を奏することができるとともに、以下の効果を奏することができる。
【００４０】
例えば、本実施形態では、押圧部１１を押圧したとき、収容部４内の薬剤Ｙが薬剤受部６に一旦溜まり、薬剤受部６に流れ込んだ薬剤Ｙが左右２方向に分岐される。このため、押圧部１１と排出孔７ａ、７ｂの間に薬剤Ｙの圧力を逃がす空間を設けることができ、排出孔７ａ、７ｂを介して薬剤Ｙが急激に吐出されて吸収材１２にうまく吸収されなくなる不具合を防止することができ、薬剤Ｙの漏れの問題を防止することができる。
【００４１】
特に、本実施形態によると、押圧部１１を押したとき、薬剤受部６に流れ込んだ薬剤Ｙが左右２方向に分岐されるため、流通空間２４を流れる薬剤Ｙの圧力が分散され、薬剤Ｙを左右の排出孔７ａ、７ｂに向けて確実に導くことができる。このように、薬剤Ｙを２方向に分岐させることにより、薬剤Ｙを広範囲に拡散させることができ、薬剤Ｙの拡散スピードを向上させることができ、吸収材１２に対する薬剤Ｙの吸収スピードを向上させることができる。また、薬剤Ｙを２方向に分岐させることにより、薬剤Ｙを均一に拡散させることができる。
【００４２】
言い換えると、薬剤Ｙを一旦溜める薬剤受部６を設けるとともに、易連通部８を通る薬剤Ｙの方向と、薬剤受部６から左右の排出孔７ａ、７ｂに向かう流路が交差しているため、この交差部位（すなわち薬剤受部６）において一旦溜めた薬剤Ｙを方向を変えて左右の排出孔７ａ、７ｂに向かわせることができ、薬剤Ｙの流速を遅くすることができる。
【００４３】
さらに、本実施形態では、薬剤受部６から左右の排出孔７ａ、７ｂに向かう流路が少なくとも１箇所で屈曲しているため、この部位で薬剤Ｙの流路抵抗を生じさせることができ、流路の形状を変更することで、薬剤Ｙの流速を所望する速度にコントロールすることができる。
【００４４】
このため、本実施形態によると、上述した第１の実施形態と比較して、薬剤Ｙの不所望な漏れなどをより効果的に抑制することができ、利便性をさらに向上させることができる。
（第３の実施形態）
以下、図９乃至図１３を参照して、第３の実施形態に係る揮散装置３０について説明する。なお、以下の説明では、上述した第１の実施形態の揮散装置１０と同様に機能する構成要素には同一符号を付してその詳細な説明を省略する。
【００４５】
図９乃至図１１に示すように、揮散装置３０は、２枚のフィルム１ａ、１ｂを部分的に貼り合せた本体３１を有し、本体３１の薬剤受部３６内に吸収材１２を収容配置した構造を有し、ケースを有していない。つまり、上面側のフィルム１ａを貫通して薬剤受部３６に連通する複数（本実施形態では３つ）の揮散孔５を設けて、本体３１だけで揮散装置３０を構成している。
【００４６】
この揮散装置３０を使用する際には、押圧部１１を押圧して、上述した第１の実施形態の揮散装置１０と同様に薬剤受部３６に薬剤Ｙを流し込む。本実施形態では、薬剤受部３６内に吸収材１２があるので、収容部４から流れ込んだ薬剤Ｙは、吸収材１２に吸収されて、複数の揮散孔５を介して揮散される。
【００４７】
図１２および図１３に示すように、第３の実施形態の変形例に係る揮散装置３０’は、上面側のフィルム１ａを貫通して薬剤受部３６に連通する複数の揮散孔５を設ける代わりに、薬剤受部３６の周囲のシール部分１ｃを部分的に剥離（或いは部分的にシールしない）して、薬剤受部３６に連通する複数（本変形例では４つ）の揮散孔３５を設けている。この位置に揮散孔３５を設けることで、第３の実施形態と比較して、吸収材１２に吸収された薬剤Ｙが指に付着し難くすることができる。
【００４８】
以上のように、第３の実施形態によると、ケースを省略して、上述した第１の実施形態と同様の効果を奏することができる。よって、本実施形態によると、より安価な揮散装置を提供することができる。
【００４９】
以上、いくつかの実施形態に基づいて本発明を説明したが、本発明は、上述した実施形態に限定されるものではなく、本発明の要旨の範囲内で種々の変形や応用が可能なことは勿論である。
【符号の説明】
【００５０】
１…本体、  １ａ、１ｂ…フィルム、  １ｃ…シール部分、  ２、２２…ケース、  ３…孔、  ４…収容部、  ５、３５…揮散孔、  ６、３６…薬剤受部、  ７…排出孔、  ８…易連通部、  ９…指向空間、  ９ａ…縁部、  １０、２０、３０…揮散装置、  １１…押圧部、  １２…吸収材、  ２４…流通空間。
【図１】
2018110684.tif 000003
【図２】
2018110684.tif 000004
【図３】
2018110684.tif 000005
【図４】
2018110684.tif 000006
【図５】
2018110684.tif 000007
【図６】
2018110684.tif 000008
【図７】
2018110684.tif 000009
【図８】
2018110684.tif 000010
【図９】
2018110684.tif 000011
【図１０】
2018110684.tif 000012
【図１１】
2018110684.tif 000013
【図１２】
2018110684.tif 000014
【図１３】
2018110684.tif 000015